(57)【要約】【課題】  従来、印刷物の展示において撮影シーンの明るさを再現することについて考慮されていない。【解決手段】  印刷物に標準照明よりも高い照度の光を照射するための照明条件を、撮影時の露出条件情報から算出する。【選択図】  図７
2020009695.tif 000002
【特許請求の範囲】
【請求項１】
撮影により得た画像データに基づいて被記録媒体に画像が印刷された印刷物の展示において、前記印刷物に標準照明よりも高い照度の光を照射するための照明条件を決定する情報処理装置であって、
前記画像データの撮影時の露出条件情報を取得する取得手段と、
前記取得手段により取得された前記撮影時の露出条件情報に基づいて、前記照明条件を算出する算出手段と、
を備えることを特徴とする情報処理装置。
【請求項２】
前記露出条件情報は、露出設定に関する値と、撮影媒体の感度に関する値と、を含むことを特徴とする請求項１に記載の情報処理装置。
【請求項３】
前記露出設定に関する値は、絞りに関する値及び露出時間に関する値であることを特徴とする請求項２に記載の情報処理装置。
【請求項４】
前記取得手段は、前記画像データのＥｘｉｆ情報に含まれる最大反射率をさらに取得し、
前記算出手段は、前記最大反射率にさらに基づいて前記照明条件を算出することを特徴とする請求項１から３のいずれか１項に記載の情報処理装置。
【請求項５】
前記算出手段は、被記録媒体の白地の反射輝度値として前記照明条件を算出することを特徴とする請求項１から４のいずれか１項に記載の情報処理装置。
【請求項６】
前記取得手段は、前記被記録媒体の白地の反射率をさらに取得し、
前記算出手段は、前記反射率に基づいて、前記被記録媒体の展示面の照度として前記照明条件を算出することを特徴とする請求項１から４のいずれか１項に記載の情報処理装置。
【請求項７】
前記算出手段により算出された前記照明条件を表示する表示手段をさらに備えることを特徴とする請求項１から６のいずれか１項に記載の情報処理装置。
【請求項８】
請求項１から７のいずれか１項に記載の情報処理装置と、
前記算出手段により算出された前記照明条件に基づいて、前記印刷物に光を照射する照明を制御する制御装置と、
を備えることを特徴とする制御システム。
【請求項９】
前記制御装置は、前記情報処理装置と無線で繋がれていることを特徴とする請求項８に記載の制御システム。
【請求項１０】
請求項１から７のいずれか１項に記載の情報処理装置と、
出力輝度データに基づいて前記印刷物を印刷する画像出力装置と、
を備える画像処理システムであって、
前記出力輝度データは前記画像データに基づいて生成され、且つ、前記出力輝度データの輝度ダイナミックレンジは前記画像データの輝度ダイナミックレンジよりも狭いことを特徴とする画像処理システム。
【請求項１１】
前記出力輝度データは、前記画像データをリニア変換することにより生成されることを特徴とする請求項１０に記載の画像処理システム。
【請求項１２】
前記画像データは、ＲＡＷ画像データであることを特徴とする請求項１０または１１に記載の画像処理システム。
【請求項１３】
撮影により得た画像データに基づいて被記録媒体に画像が印刷された印刷物の展示において、前記印刷物に標準照明よりも高い照度の光を照射するための照明条件を決定する情報処理方法であって、
前記画像データの撮影時の露出条件情報を取得する取得工程と、
前記取得工程において取得された前記撮影時の露出条件情報に基づいて、前記照明条件を算出する算出工程と、
を備えることを特徴とする情報処理方法。
【発明の詳細な説明】
【技術分野】
【０００１】
本発明は、画像が出力された印刷物に照射するための照明条件を決定するための情報処理装置、制御システム、画像処理システム及び情報処理方法に関する。
【背景技術】
【０００２】
従来、インクジェット、電子写真、熱転写などの様々な印刷方式を用いたデジタル複写機、プリンタ、ファクシミリなどの画像処理装置が普及している。これらの画像処理装置では、装置内部に備えられた画像処理部、或いは装置に付随したソフトウェア（プリンタであれば一般的にプリンタドライバと呼ばれる）を用いて入力画像データに対して画像処理を行った上で、被記録媒体に画像を印刷し、印刷物を生成する。この際に行われる画像処理は、印刷物が所定の環境下で観察されることを前提として実行されている。従って、前提とされた環境とは異なる環境下においては、観察者にとって望ましい色に見えない場合がある。
【０００３】
ここで、インクジェットプリンタの場合について具体例を説明する。プリンタで出力するカラー画像は、ディスプレイであるＣＲＴや液晶モニタで、一般的に国際規格で定められたｓＲＧＢなどの色域に合致させるように色設計が行われている。ｓＲＧＢの色域は、ＣＲＴなどでは輝度８０ｃｄ／ｍ２、色温度５０００Ｋで規定されている。本明細書では、そのｓＲＧＢの色域に合致させてインクジェットプリンタで印刷された印刷物は、輝度８０ｃｄ／ｍ２相当の光の環境下で観察されることが望ましいと仮定する。以下、輝度８０ｃｄ／ｍ２、色温度５０００Ｋの光を「標準照明」と呼ぶこととする。
【０００４】
こうした理由から、標準照明とは大きくかけ離れた輝度、或いは、色温度を持つ照明環境下で印刷物を観察すると、先に説明した通り、設計された所望の色とは異なる色として観察されてしまう場合がある。このような課題に対し、上述した標準照明とは異なる観察環境下においても、標準照明下と同様の明るさ及び色として観察され得る印刷物を生成するための技術が提案されている。
【０００５】
特許文献１には、観察位置から正対する壁の明るさ（反射率）により画像における黒色の領域が浮いてしまうため、壁の輝度に応じて、黒色付近のルックアップテーブルを切り替える技術が提案されている。また、特許文献２には、印刷モード毎に、拡散反射、鏡面反射成分を独立に測定及び保持しておき、壁の輝度に応じて、黒濃度や彩度の変化を予測し、上記予測に基づいて濃度や彩度を高めるための印刷モードを選択することが開示されている。
【先行技術文献】
【特許文献】
【０００６】
【特許文献１】特開２０１２−０４４４７５号公報
【特許文献２】特開２０１６−０５４３５６号公報
【発明の概要】
【発明が解決しようとする課題】
【０００７】
上述のように、特許文献１及び２には、標準照明下以外であっても標準照明下と同様の色や明るさで印刷物を観察可能となるように印刷を行うための画像処理技術が記載されている。
【０００８】
一方、限られた所定の明るさで印刷物を観察するのではなく、入力画像データが撮影されたシーンに近い明るさで印刷物を観察することが求められる場合がある。例えば、建築物内部に照明装置を設置した際に、その建築物に赴いてその明るさを直接確認するのではなく、他の場所において建築物内部を撮影した印刷物を用いてその明るさを確認する場合や、商業施設等の建物内の壁面に印刷物を展示した際に、あたかもそこに窓があって屋外からの光が取り込まれているように演出したい場合などである。
【０００９】
特許文献１及び２のいずれにおいても、所定の明るさで規定された色空間に対して忠実度の高い観察結果をもたらすことは期待できるが、印刷物を観察する環境において、入力画像データが撮影されたシーンの明るさを再現することについては考慮されていない。
【課題を解決するための手段】
【００１０】
上記課題を鑑み、本発明の画像処理装置は、撮影により得た画像データに基づいて被記録媒体に画像が印刷された印刷物の展示において、前記印刷物に標準照明よりも高い照度の光を照射するための照明条件を決定する情報処理装置であって、前記画像データの撮影時の露出条件情報を取得する取得手段と、前記取得手段により取得された前記撮影時の露出条件情報に基づいて、前記照明条件を算出する算出手段と、を備えることを特徴とする。
【発明の効果】
【００１１】
本発明の画像処理装置により、照明を用いて印刷物を展示する際の照明条件を算出することで、画像データを撮影したシーンの明るさを再現することが可能となる。
【図面の簡単な説明】
【００１２】
【図１】画像処理装置及び画像出力装置の構成を示すブロック図
【図２】画像処理装置及び画像出力装置の処理構成例を示す図
【図３】画像処理フローを示す図
【図４】印刷物と照明との位置関係を示す概念図
【図５】入力輝度レンジと出力輝度レンジの関係を示す図
【図６】入力輝度レンジと出力輝度レンジの関係を示す図
【図７】撮影シーンの明るさを算出するための概念図
【図８】第１の実施形態の処理を示すフローチャートと表示部
【図９】画像データに対する変換処理を説明するための図
【図１０】印刷物の輝度階調特性を示したグラフ
【図１１】第２の実施形態における撮影シーンの明るさを算出するための概念図
【図１２】第２の実施形態の処理を示すフローチャート
【図１３】第３の実施形態における撮影シーンの明るさを算出するための概念図
【図１４】第３の実施形態の処理を示すフローチャート
【図１５】第４の実施形態の処理を示すフローチャート
【図１６】第５の実施形態における制御システムを示す概念図
【発明を実施するための形態】
【００１３】
（第１の実施形態）
以下、図面を参照して本発明の一実施形態を説明する。尚、光の強さの単位にカンデラ（ｃｄ／ｍ２）を用いているが、これに限らず、ルーメン（ｌｍ）やルクス（ｌｘ）を用いてもよい。
【００１４】
図４を用いて、本実施形態における印刷物の観察環境について説明する。本実施形態では、画像が撮影されたシーンの明るさを再現した環境で観察者が印刷物を観察できるようにするため、印刷物に光を照射する補助照明を用いている。本図は、部屋５００を断面で見た概念図である。天井５０１には、部屋の照明５０２が設置され、壁５０３には、画像出力装置であるインクジェットプリンタで出力した印刷物５０４が飾られている。図中の破線は、補助照明５０５が印刷物５０４を照射するイメージを表している。尚、画像が撮影されたシーンの明るさを再現する方法は上記方法に限られるものではなく、補助照明を用いずに部屋の照明を調整する方法であってもよい。
【００１５】
次に、本実施形態における画像処理及び情報処理を実施するための構成について説明する。
【００１６】
図１（ａ）は、本実施形態において画像処理装置１００として機能する情報処理装置の構成例を示す。ＣＰＵ１０４は、ＲＡＭ１０６をワークメモリとして、ＲＯＭ１０５や記憶部１０３に格納されたＯＳや各種プログラムを実行し、システムバス１０９を介して後述する構成を制御する。
【００１７】
入力部１０１は、ＵＳＢなどのシリアルバスインタフェイスであり、キーボードやマウスの入力デバイス、メモリカードリーダ、デジタルカメラやスキャナなどの画像入力デバイスが接続される。ＣＰＵ１０４は、入力部１０１を介してユーザ指示や画像データなどを入力し、モニタである表示部１０２にグラフィックユーザインタフェイス（ＧＵＩ）、画像、処理経過や結果などを表示する。
【００１８】
記憶部１０３は、各種プログラムや様々なデータが格納されるハードディスクドライブ（ＨＤＤ）やソリッドステートドライブ（ＳＳＤ）などの記録媒体である。記憶部１０３が格納するプログラムには、後述する画像処理を実現するためのプログラムが含まれる。
【００１９】
通信部１０７は、Ｅｔｈｅｒｎｅｔ（登録商標）、Ｂｌｕｅｔｏｏｔｈ（登録商標）、Ｗｉ−Ｆｉ、Ｐ２Ｐなどの有線または無線のネットワーク１１０に接続するためのネットワークインタフェイスである。出力部１０８は、ＵＳＢなどのシリアルバスインタフェイスであり、シリアルバスに接続された画像出力装置１１１やメモリカードライタに画像データなどを出力する。
【００２０】
ＣＰＵ１０４は、通信部１０７を経由してネットワーク１１０上のサーバ装置や他のコンピュータ機器と通信を行う。ＣＰＵ１０４は、ネットワーク１１０上のサーバ装置や他のコンピュータ機器などから様々なプログラムやデータを受け取って処理を実行したり、処理結果のデータをネットワーク１１０上のサーバ装置や他のコンピュータ機器に提供したりすることができる。なお、ＣＰＵ１０４が通信部１０７を介して通信可能なコンピュータ機器には画像出力装置１１１も含まれ、画像出力装置１１１に画像データを出力することもできる。
【００２１】
画像処理装置１００は、パーソナルコンピュータ、タブレット、スマートフォンなどのコンピュータ機器に、後述する画像処理を実現するためのプログラムを供給することで実現される。画像処理装置１００としてタブレットやスマートフォンが利用される場合、入力部１０１と表示部１０２は積層されてタッチパネルとして構成される場合がある。
【００２２】
図１（ｂ）は、画像出力装置１１１として、インクジェットプリンタを想定した場合の構成例を示すブロック図である。制御部１２０は、マイクロプロセッサ等のＣＰＵ１２０ａ、ＲＡＭ１２０ｂ及びＲＯＭ１２０ｃ等をメモリとして備える。ＲＡＭ１２０ｂは、ＣＰＵ１２０ａのワークエリアとして使用されると共に、画像処理装置１００から受信した画像データや生成した記録データなどの各種データの一時保管等を行う。ＲＯＭ１２０ｃは、ＣＰＵ１２０ａの制御プログラムや記録動作に必要なパラメータなどの各種データを格納する。
【００２３】
制御部１２０は、インターフェース１２１を介して画像処理装置１００との間で画像データ等の記録に用いられるデータ、パラメータを入出力する処理を行う。また、操作パネル１２２から各種情報、例えば文字ピッチや文字種類等の入力を受け付ける処理を行う。また、制御部１２０は、インターフェース１２１を介して、キャリッジモータ１２３及び搬送モータ１２４を駆動させるためのＯＮ信号またはＯＦＦ信号をドライバ１２６から出力する。さらに、吐出信号等をドライバ１２７に出力し、記録ヘッド１２５からインクを吐出するための駆動を制御する。以上の各処理は、制御部１２０がＲＡＭ１２０ｂに記憶されたプログラムを読み出すことによって実行される。
【００２４】
尚、図１（ａ）及び（ｂ）には、画像処理装置１００及び画像出力装置１１１が別体に構成された画像処理システムの例を示したが、上記形態に限るものではない。画像処理装置１００と画像出力装置１１１を一体に構成した画像形成装置であってもよい。例えば、画像出力装置の処理の一部を、画像処理装置において所謂プリンタドライバーソフトとして実行する形態であっても構わない。さらに、画像読取装置を備える画像複写装置等に適用することも可能である。
【００２５】
図２は、図１（ａ）及び（ｂ）に示した、画像処理装置１００及び画像出力装置１１１の処理構成例を示すブロック図である。本図に示す処理構成は、当該処理構成やその機能を実現するためのプログラムを画像処理装置１００及び画像出力装置１１１に供給し、当該プログラムを実行することで実現される。
【００２６】
デジタルカメラ等から、画像データ入力部２０１を介して画像データが入力され、それと同時に、画像データ情報入力部２０２を介して露出条件情報などの撮影時の情報や輝度ダイナミックレンジ情報等の画像データ情報が入力される。プリント輝度決定部２０３は、入力された画像データと画像データ情報から、印刷するためのプリントデータ（出力輝度データ）を生成する。このプリント輝度決定部２０３における具体的な生成方法については、後に詳しく説明する。生成されたプリントデータは、画像出力装置１１１内のプリント処理部２０４に送られる。そして、画像出力装置１１１において各処理が施された後、印刷物が出力される。
【００２７】
そして、照明条件決定部２０６において、入力された撮影時の情報から、画像が撮影されたシーンの明るさを再現するために必要な照明条件が算出される。算出された照明条件は、照明条件提示部２０７により表示部１０２に表示される。この照明条件の算出方法については後に詳しく説明する。
【００２８】
図３（ａ）は、画像出力装置１１１をインクジェットプリンタと想定した場合の、カラー入力画像データを被記録媒体に印刷するための画像処理構成を示している。ここでは、画像出力装置１１１のプリント処理部２０４が、ＪＰＥＧ等の一般的な画像ファイルが持つ、レッド（Ｒ）、グリーン（Ｇ）、ブルー（Ｂ）の各色８ビット、それぞれ２５６階調の画像データ（輝度データ）を受け取る。複数の処理が施された後、最終的に、ブラック（Ｋ）、シアン（Ｃ）、マゼンタ（Ｍ）、イエロー（Ｙ）それぞれの、インク滴の吐出の有無を示す１ビットのビットイメージデータ（記録データ）を出力する。以下に、これらの処理について説明する。
【００２９】
まず、画像処理装置１００は、デジタルカメラ等から、Ｒ、Ｇ、Ｂ各色８ビットの輝度信号で表現される入力画像データを受け取る。そして、受け取ったＲ、Ｇ、Ｂの輝度信号データに対して、色空間変換前処理３０１を行う。ここでは、３次元のＬＵＴ（Ｌｏｏｋ  Ｕｐ  Ｔａｂｌｅ）を用いて、各色８ビットまたは各色１０ビットのＲ’、Ｇ’、Ｂ’のデータに変換する。この色空間変換前処理３０１は、入力されたＲ、Ｇ、Ｂの画像データが表わす色空間と画像出力装置１１１で再現可能な色空間との間の差を補正するために行われる。具体的には、色域（Ｇａｍｕｔ）マッピング処理と言われ、色空間変換であるＲＧＢ→ＸＹＺ変換の後、ＸＹＺ→Ｒ’Ｇ’Ｂ’変換が行われ、入力データの持つ色域がプリンタで表現可能な色域に変換される。ここで、入力データが持つ輝度レンジ、すなわち、ＸＹＺデータにおけるＹ成分は、画像出力装置が表現できる輝度レンジに変換される。この結果、画像出力装置が表現できる輝度レンジは、標準照明下における印刷物の輝度レンジに対応する。この輝度レンジについては、後に詳しく説明する。
【００３０】
次に、色空間変換前処理３０１と、それと同時に輝度変換処理が施されたＲ’、Ｇ’、Ｂ’各色のデータが、画像処理装置１００から画像出力装置１１１に送られる。画像出力装置１１１では、色空間変換前処理３０１が施されたＲ’、Ｇ’、Ｂ’各色のデータに対し、３次元ＬＵＴを用いて、Ｋ、Ｃ、Ｍ、Ｙの各色１０ビットのデータに変換する色変換処理３０２を行う。色変換処理３０２では、輝度信号で表現される入力系のＲＧＢ系画像データが、画像出力装置１１１で用いるＫ、Ｃ、Ｍ、Ｙの各インクに対応するインク色データに色変換される。
【００３１】
次に、色変換処理３０２が施されたＫ、Ｃ、Ｍ、Ｙの各色１０ビットのインク色データに対し、それぞれの色に対応した１次元ＬＵＴを用いて、出力γ処理３０３が施される。図３（ｂ）は、出力γ処理３０３で使用されるガンマカーブ（Ｓ次γ）の一例を示したものである。通常、被記録媒体の単位面積当たりに付与されるインク滴（ドット）の数と、記録された画像を測定して得られる反射濃度などの記録特性との関係は、線形関係にはならない。そのため、Ｋ、Ｃ、Ｍ、Ｙの各色１０ビットの入力階調レベルと、それによって記録される画像の濃度レベルが線形関係となるように、４色それぞれの入力階調レベルを補正する必要がある。すなわち、γ処理の目的は、画像出力装置で印刷物を出力する場合に、入力画像データをより忠実に再現することにある。一般的に、画像出力装置において、入力画像データにリニア変換処理を行ってそのまま出力したとしても、被記録媒体の特性によって印刷物の結果が入力画像と線形の関係にはならない。そのため、事前に使用する被記録媒体の特性を測定し、入力と出力がより線形な関係になるガンマカーブの設計が必要となる。
【００３２】
図３（ａ）に戻り、出力γ処理３０３が施されたインク色データに対し、ディザもしくはＥＤ（誤差拡散処理）等の量子化処理３０４が行われる。具体的には、Ｋ、Ｃ、Ｍ、Ｙ各色１０ビットのデータから、インク滴の吐出または非吐出を示す各色１ビットの２値データに変換される。変換された２値データに基づいて、記録ヘッド１２５からインク滴が吐出され、被記録媒体に画像が印刷される。
【００３３】
次に、図５（ａ）を用いて、色空間変換前処理３０１と同時に行われる輝度変換処理における、入力輝度レンジと出力輝度レンジの関係について説明する。本図は、入力輝度レンジが出力輝度レンジにリニアに変換された場合を示している。印刷物の出力輝度レンジが入力データの輝度レンジを十分表現できる場合には、本図の実線１００１に示すように、入力に対してリニアな出力となるような変換を行えばよい。しかしながら、紙等の非発光物に印刷された印刷物が標準照明下で表現できる輝度レンジは、入力輝度レンジよりも狭くなるのが一般的である。紙上での出力輝度、すなわち紙白での最大輝度は、それを観察する環境において、印刷物に照射される照明の強度によって決まる。一般に、インクジェットプリンタにおける色設計がｓＲＧＢ色空間である場合、輝度ダイナミックレンジは、０〜８０ｃｄ／ｍ２を想定して行われている。従って、入力された画像データの輝度レンジが０〜８０ｃｄ／ｍ２の範囲内であれば、輝度レンジが変わらないような処理が施される。しかし、それを超えた輝度レンジの入力画像データに対しては、出力側、すなわち被記録媒体上で表現できる輝度ダイナミックレンジの範囲内に収まるように、変換処理を施す必要がある。
【００３４】
図５（ｂ）は、紙等の被記録媒体に印刷された印刷物が標準照明下で観察されることを想定しておこなわれる、通常の変換処理を示す図である。本図は、輝度ダイナミックレンジが０〜２００％である入力画像データをインクジェットプリンタによって出力するための輝度変換（ガンマカーブ）を示す一例である。ここでは、破線１００２のようなリニアな変換ではなく、実線１００３のようにカーブした変換処理が施される。
【００３５】
非発光体である紙などの被記録媒体に画像を出力する場合、反射率の最大値は１００％である。ここでは、光沢紙の白地（以下、紙白領域と呼ぶ）の輝度を反射率１００％としており、先に説明したｓＲＧＢの場合は輝度８０ｃｄ／ｍ２と規定している。従って、光沢紙の紙白領域の輝度８０ｃｄ／ｍ２が、反射率１００％に相当する。標準照明下で観察されることを想定した通常処理において、０〜２００％のダイナミックレンジを持った入力画像データは、実線１００３のように変換される。尚、人間の肌色の反射率に近い、いわゆる１８％グレーの反射率は、入力画像データの輝度と同様の出力輝度を維持するのが一般的である。このため、一般的には、本図のように０〜１８％の範囲においては実線１００３が破線１００２と重なるようなガンマカーブが用いられる。また、カーブの形状は設計者の意図によって変えることが可能である。
【００３６】
（プリントデータ生成処理）
次に、図２の画像処理装置１００のプリント輝度決定部２０３におけるプリントデータである、出力輝度データの生成方法について説明する。前述したように、本発明は、観察者が印刷物を観察する際に撮影シーンの明るさを再現するため、照明条件を積極的に制御する。従って、本発明では、撮影シーンの明るさが、輝度８０ｃｄ／ｍ２の標準光源を印刷物に照射した場合の輝度よりも高いことを想定している。すなわち、この撮影シーンの明るさを再現するためには、標準照明よりも高い照度の光を印刷物に照射することが必要である。
【００３７】
本実施形態において、画像処理装置１００の画像データ入力部２０１に入力される画像データは、最近のデジタルカメラ等で扱われるＲＡＷデータをリニア階調処理したＲＧＢ画像データである。ＲＡＷデータは、カメラ内部で様々な処理が施されてＪＰＥＧデータに変換される前の、未処理状態の画像データである。ＲＡＷデータの輝度ダイナミックレンジは、ＪＰＥＧデータの輝度ダイナミックレンジよりも広いことが一般的である。画像データ入力部２０１にＲＡＷデータが入力されると共に、画像データ情報入力部２０２に露出条件などのＲＡＷデータの撮影情報が入力される。これは、デジタルカメラのＥｘｉｆ（Ｅｘｃｈａｎｇｅａｂｌｅ  ｉｍａｇｅ  ｆｉｌｅ  ｆｏｒｍａｔ）データとして受け取ることができる。Ｅｘｉｆデータには、画像データのダイナミックレンジと、撮影時の露出設定である露出補正値（ＥＶ値）とが含まれる。
【００３８】
前述したように、プリント輝度決定部２０３において、入力画像データであるＲＧＢ輝度データをＲＧＢ→ＸＹＺ変換し、さらに、ＸＹＺ→Ｒ’Ｇ’Ｂ’変換が行われ、各画素の画素値が決定する。
【００３９】
図６（ａ）及び（ｂ）は、本実施形態の輝度変換処理における入力輝度ダイナミックレンジと出力輝度ダイナミックレンジの関係を示す図である。まず、画像データ情報入力部２０２に入力された情報が、例えば、０〜２００％のダイナミックレンジを持ったＲＡＷ画像データであり、且つ、露出補正値＝−１、すなわち１段アンダーを意味する情報である場合について説明する。ここで、露出補正値が−１で撮影された場合、デジタルカメラ側で、適正露出の場合（すなわち露出補正値が０である場合）の入力輝度の１／２となるように出力輝度が変換される。そして、変換されたデータがプリンタに入力される。ここで入力されるデータは、図６（ａ）の破線１００４で示すように、入力輝度ダイナミックレンジ２００％の輝度値が１／２となるように変換されたデータである。すなわち、出力輝度ダイナミックレンジが１００％に収まっている。同様に、０〜４００％のダイナミックレンジを持ったＲＡＷ画像データであり、且つ、露出補正値が−２で撮影された場合、デジタルカメラ側で、入力輝度の１／４となるように出力輝度が変換される。そして変換されたデータがプリンタに入力される。ここで入力されるデータは、図６（ａ）の破線１００５で示すように、入力輝度ダイナミックレンジ４００％の輝度値が１／４となるように変換されたデータである。この場合も、出力輝度ダイナミックレンジが１００％に収まっている。従って、上記２例のいずれの場合も、出力輝度は０〜１００％の範囲内に収まるように変換されており、プリンタ側で再現可能な輝度であるため、これ以上輝度値を狭める必要がない。
【００４０】
一方、入力画像データが０〜４００％の輝度ダイナミックレンジを持つＲＡＷ画像データであり、且つ、露出補正値＝−１、すなわち１段アンダーを示す情報である場合には、入力されるデータは、４００％の輝度値が１／２に変換されたデータである。この場合、プリンタ側で再現可能な輝度値の範囲を超えている。このため、出力輝度をプリンタで再現可能な０〜１００％に収まるように変換を行う必要がある。図６（ｂ）の破線１００７は、プリンタ側で変換後のデータを示している。
【００４１】
尚、本実施形態では、補助照明を用いる、もしくは、固定照明の照度を調整することによって、輝度８０ｃｄ／ｍ２を想定した標準照明よりも高い照度の光が印刷物に照射される。これにより、図６（ａ）の破線１００４及び破線１００５の輝度を実線１００６に示す輝度に持ち上げ、図６（ｂ）の破線１００７の輝度を実線１００８に示す輝度に持ち上げる。従って、破線１００４、破線１００５及び破線１００７の何れの場合においても、標準照明下で被記録媒体に出力された印刷物を観察すると、図５（ｂ）に示した通常処理で出力された印刷物に比べて、非常に暗い画像に見える。
【００４２】
尚、本実施形態においてＲＡＷデータ用いた理由は、ＲＡＷデータはリニア処理が可能であり、さらに、印刷物に補助照明を照射しても１８％グレーの画像が保持されるため、撮影シーンの適正露出での画像が再現できるからである。また、ＲＡＷデータは、１画素の階調数が１２ｂｉｔ〜１６ｂｉｔと高いため、画像処理を行っても滑らかな階調の画像が得られ、画質の劣化が少ないという利点がある。
【００４３】
（撮影時の明るさ算出処理）
次に、本発明の特徴構成である、撮影シーンの明るさを解析する方法について説明する。図２の画像データ入力部２０１を通して、画像データとともに、画像を撮影した際の設定に関する情報が入力される。本実施形態において、撮影シーンの明るさを再現するために必要となるのは撮影時の露出設定の情報である。
【００４４】
一般に、露出設定値は、ＥＶ（Ｅｘｐｏｓｕｒｅ  Ｖａｌｕｅ）値と呼ばれ、絞りＡＶ（Ａｐｅｒｔｕｒｅ  Ｖａｌｕｅ）値、及び、露出時間ＴＶ（Ｔｉｍｅ  Ｖａｌｕｅ）値から、以下の式１によって定まる値である。
ＥＶ＝ＡＶ＋ＴＶ・・・（式１）
尚、上記ＡＶ値及びＴＶ値は、以下の式２、式３により、カメラの撮影時の設定パラメータである絞り値Ａ及び露光時間Ｔから求められる。
ＡＶ＝ｌｏｇ２（Ａ２）・・・（式２）
ＴＶ＝ｌｏｇ２（１／Ｔ）・・・（式３）
【００４５】
撮影シーンの明るさと露出設定の関係は、標準露出という考え方で一般的に扱われており、カメラが自動で行う露出設定や、撮影時の露出条件をシーンの明るさから導き出す露出計などで広く用いられている。標準露出の考え方に従うと、シーンの明るさを示すＢＶ（Ｂｒｉｇｈｔｎｅｓｓ  Ｖａｌｕｅ）値と、撮影媒体の感度を示すＳＶ（Ｓｅｎｓｉｔｉｖｉｔｙ  Ｖａｌｕｅ）値は、ＥＶ値との間に、以下の式４に示す関係がある。
ＢＶ＋ＳＶ＝ＥＶ・・・（式４）
ここで、ＢＶ及びＳＶは、撮影シーンの輝度（Ｂ［ｃｄ／ｍ２］）、及び、撮影媒体感度ＩＳＯ（Ｓｘ）により、以下の式５及び式６のように表わすことができる。
ＢＶ＝ｌｏｇ２（Ｂ／ＮＫ）・・・（式５）
ＳＶ＝ｌｏｇ２（Ｎ・Ｓｘ）・・・（式６）
尚、ここでは、Ｋ＝１２．５、Ｎ＝０．３２とする。
【００４６】
従って、撮影シーンの輝度Ｂを求めるためには、ＥＶ値とＳＶ値があればよいことがわかる。これらの情報は、デジタルカメラで撮影された画像データに伴ってＥｘｉｆ情報の中に格納されて画像入力装置と出力装置の間でやり取りされるのが一般的であり、絞り値を示すＡ、露光時間を示すＴ、撮影媒体感度ＩＳＯを示すＳｘとして取得することができる。上記の関係式に基づき、撮影シーンの輝度Ｂ［ｃｄ／ｍ２］は、以下の式７に示す演算によって算出することができる。
Ｂ＝２（ＥＶ-ＳＶ）・Ｎ・Ｋ・・・（式７）
【００４７】
尚、標準露出の考え方によれば、被写体としてファインダーが捉えたシーンを１８％の反射率を持つものとして扱い、１８％の反射率のシーンが記録画像出力時に所定の明るさで表現できるように撮影時の露出設定を行っている。従って、撮影シーンの輝度Ｂを求めることにより、撮影時に１８％の反射率としてカメラが捉えた被写体の輝度を求めることができる。
【００４８】
一方で、カメラが捉えることができるダイナミックレンジ（Ｄレンジとも呼ぶ）の広さは、撮像媒体の感度で決まっており、一般的に、概ね１０〜１１段程度と言われている。１段とは、カメラが捉える光量が２倍になることを意味する。従って、カメラの持つＤレンジは２１０〜２１１倍程度である。
【００４９】
ここで、図７（ａ）及び（ｂ）を用いて、カメラの捉えるＤレンジについて説明する。仮に１１段分のＤレンジを持つカメラがあり、最大で反射率２００％までを捉えることができる場合、捉えることができる最小の反射率は、おおよそ２０００分の１の０．１％である。撮影時に、明るさ１４．４ｃｄ／ｍ２の被写体に露出設定を合わせて撮影したとすると、これを反射率１８％と解釈して画像データが形成される。この場合、Ｄレンジが最大となる反射率２００％は、１６０ｃｄ／ｍ２に相当し、Ｄレンジが最小となる反射率０．１％は、０．０８ｃｄ／ｍ２に相当する。すなわち、この画像データは、最大１６０ｃｄ／ｍ２の明るさが記録されていると言える。従って、この画像データを被記録媒体に印刷した印刷物を展示する場合には、印刷物の白地部分が最大１６０ｃｄ／ｍ２の明るさとなるように照明を設定することにより、撮影シーンの明るさを再現することができる。
【００５０】
以上のように、撮影シーンの明るさを求めるには、図７（ｂ）に示すように、撮影時に反射率１８％として、撮影時の露出設定をもとに式７を用いて撮影シーンの輝度Ｂを求め、この算出結果をａとする。更に、カメラの捉えることのできる最大Ｄレンジの反射率であるｂを求める。本実施形態において、最大Ｄレンジの反射率は２００％として計算する。これは、おおよそ一般的なカメラの最大Ｄレンジの反射率に相当する。ｂは、以下の式８により算出することができる。
ｂ＝ａ・２００／１８・・・（式８）
【００５１】
このような方法で、画像が撮影されたシーンでカメラが捉えた最大輝度ｂを算出することができる。
【００５２】
図８（ａ）は、ここまで説明した処理の流れ示したフローチャートである。ステップＳ１０１において、入力された画像データ（ＲＡＷデータ）の情報を解析する。ここでは、後の処理に必要な情報として、撮影時の露出設定情報を取得する。本実施形態では、絞り値Ａ、露光時間Ｔ及び撮影媒体の感度を示すＳＶ値を取得する。ステップＳ１０２において、入力された画像データの輝度値をプリント輝度値に変換し、リニア現像された画像を反射率０〜１００％の輝度レンジ内に収めるような階調処理を行う。ここで、図９（ａ）は、ステップＳ１０２で行う変換処理の階調特性を示したグラフであり、従来の画像処理を施した場合の階調特性を点線、本実施形態における画像処理を施した場合の階調特性を実線で表している。尚、図９（ｂ）は、標準照明下において従来の画像処理を施した場合と本実施形態における画像処理を施した場合の輝度を比較したグラフである。本実施形態における画像処理を表す実線のグラフは、従来の画像処理を表す点線のグラフに対して、階調全体に渡って暗い画像となっていることがわかる。
【００５３】
図８（ａ）に戻り、ステップＳ１０３において、上述の式を用いて輝度ｂを算出し、ユーザに提示する。これは、ステップＳ１０２で変換した輝度レンジを、もともと入力画像データが持っていた輝度レンジに戻すのに必要な照明条件である。図８（ｂ）は、図１の表示部１０２に表示されるＵＩを示した図である。そして、前述の方法で算出した輝度ｂを、この印刷物を鑑賞する上で撮影シーンの明るさを再現するための照明条件としてオペレータに提示する。
【００５４】
最後に、ステップＳ１０４において、ステップＳ１０２において処理した画像データを被記録媒体に印刷し、印刷物を生成する。ここで、図１０（ａ）は、ステップＳ１０３で提示した照明条件下における、ステップＳ１０５で印刷した印刷物の輝度階調特性を示したグラフである。このグラフにおいて、実線は、本実施形態における画像処理を施した画像データを印刷した場合であり、点線は、比較例として従来の画像処理を施した画像データを印刷した場合である。さらに、図１０（ｂ）において、実線は、算出した輝度ｂの照明条件下における、本実施形態の画像処理を施した画像データの印刷物の輝度階調特性を表している。一方、点線は、標準照明下における、従来の画像処理を施した画像データの印刷物の輝度階調特性を表している。この２つの階調特性を比較すると、本実施形態の画像処理を施した画像データの印刷物の輝度階調特性はリニアな階調特性を示しており、且つ、印刷物の輝度が撮影シーンの明るさを再現したものとなっている。従って、従来の画像処理を施した印刷物に比べて、撮影シーンをより忠実に再現できていると言える。
【００５５】
（第２の実施形態）
前述の第１の実施形態では、画像データ入力部２０１を通して撮影時の露出設定を取得し、撮影シーンの明るさを解析する際に用いた。これは、図７（ｂ）に示す輝度ｂを規定値として扱う場合には問題ないが、実際は撮影に使用するカメラの撮像素子の性能等によって変わりうる。また、同一のカメラを使用する場合でも、撮影シーンによって取得できる最大の明るさの範囲が変わりうる。そのため、本実施形態では、それぞれの画像データに伴ってＥｘｉｆ情報の中に格納される最大反射率を用いて解析する場合について説明する。
【００５６】
撮影シーンの明るさを算出するためには、図１１に示すように、撮影時に反射率１８％として捉えたシーン輝度Ｂを、撮影時の露出設定に基づいて上述の式７を用いて求め、これをａとする。さらに、Ｅｘｉｆ情報に含まれる最大反射率Ｃを用いて、以下の式９の比率計算によりｂを求めることができる。
ｂ＝ａ・Ｃ／１８・・・（式９）
【００５７】
図１２は、本実施形態におけるデータ処理を示すフローチャートである。ステップＳ２０１において、入力された画像データ（ＲＡＷデータ）の情報を解析する。後の処理に必要な情報は撮影時の露出設定である。ステップＳ２０２において、入力画像データのもつＤレンジの最大反射率を解析し、取得する。ステップＳ２０３において、入力データの輝度値をプリント輝度値に変換し、リニア現像されたアンダー露出画像を反射率０〜１００％の輝度レンジ内に収めるような階調処理を行う。ステップＳ２０４において、上述の式９を用いて輝度ｂを算出し、ユーザに提示する。これは、ステップＳ２０３で変換した輝度レンジを、もともと入力データが持っていた輝度レンジに戻すのに必要な照明条件である。最後に、ステップＳ２０５において、ステップＳ２０３で処理した画像データを被記録媒体に印刷し、印刷物を生成する。
【００５８】
以上の方法により、撮影に用いるカメラの撮像素子の性能等によって取得できる最大の明るさが変わる場合や、同一のカメラを使用するが撮影シーンによって取得できる最大の明るさの範囲が変わる場合においても、撮影シーンの明るさを求めることが可能となる。
【００５９】
（第３の実施形態）
前述の第１及び第２の実施形態では、照明条件をユーザに展示する際に、被記録媒体の白地の反射輝度値［ｃｄ／ｍ２］を提示した。これに対し、本実施形態では、被記録媒体の展示面の照度［ｌｘ］を提示する。この方法により、照明の明るさを調整する際に反射輝度を測定する機器を持ち合わせない場合であっても、入射する光の照度を測定する機器があれば、撮影シーンの明るさの再現が可能となる。
【００６０】
被記録媒体の種類により被記録媒体の反射率が異なる。例えば、写真用紙と普通紙を比較すると、一般的には普通紙の方が白地の輝度が低い。そのため、照度で照明条件を提示する際には、被記録媒体の種類に応じた反射率を反映させる必要がある。被記録媒体展示面の照度Ｅ［ｌｘ］とその反射面の輝度Ｌ［ｃｄ／ｍ２］の間には次の式のような関係がある。
Ｅ＝π／ρ・Ｌ・・・（式１０）
【００６１】
πは円周率、ρは被記録媒体の白地の反射率である。従って、第２の実施形態において図１１に示すカメラが捉えた最大反射輝度ｂに対して式１０を用いることにより、被記録媒体の展示面の照度Ｅは、以下の式１１にて求めることができる。
Ｅ＝π／ρ・ｂ・・・（式１１）
【００６２】
ここで、ある被記録媒体の白地の反射率が８０％であり、カメラが捉えた最大反射輝度ｂが１６０ｃｄ／ｍ２であるとすると、式１１を用いて、被記録媒体展示面の最大照度は６２８ｌｘと算出される。カメラのＤレンジを輝度から照度に変換すると、図７（ａ）に示す輝度のＤレンジは、図１３に示す照度のＤレンジに相当する。それ以外の部分については前述の実施形態と同様である。
【００６３】
図１４（ａ）に、本実施形態におけるデータ処理の流れを示す。ステップＳ３０１、ステップＳ３０２については、第１の実施形態のステップＳ１０１、ステップＳ１０２と同様である。次に、ステップＳ３０３では印刷に使用する被記録媒体の特性を取得する。これは、既に前もって測定し、記憶媒体に保存されているデータを選択する。後の処理に必要なデータとしては被記録媒体の白地の反射率である。被記録媒体の種類毎の反射率は、事前に測定したデータを装置のＲＯＭなどの記憶部に保存しておき、ステップＳ３０３で使用する被記録媒体が選択された段階で取得する。ステップＳ３０４において、入力画像データの輝度値をプリント輝度値に変換し、リニア現像された画像を反射率０〜１００％の輝度レンジ内に収めるような階調処理を行う。ステップＳ３０５において、ステップＳ３０４で変換した輝度レンジをもともと入力データが持っていた輝度レンジに戻すのに必要な照明条件を図１３におけるｂと式１１を用いて算出し、ユーザに提示する。図１４（ｂ）は、ユーザに提示する一例であり、表示部１０２に表示される。最後に、ステップＳ３０６において、ステップＳ３０４にて処理された画像データを被記録媒体に印刷し、印刷物を生成する。
【００６４】
以上のように本実施形態では、撮影シーンの明るさを照度［ｌｘ］で算出する。これにより、照明の明るさを調整する際に反射輝度を測定する機器を持ち合わせていない場合であっても、入射する光の照度を測定する機器があれば、撮影シーンの明るさを再現することができる。
【００６５】
（第４の実施形態）
本実施形態では、照明を使用して撮影シーンの明るさを再現する場合と、標準照明を用いた通常の画像処理を切り換える例について説明する。
【００６６】
図１５は、本実施形態の処理を示したフローチャートである。ステップＳ４０１において、入力された画像データ（ＲＡＷデータ）の情報を解析する。後の処理に必要な情報は撮影時の露出設定である。ステップＳ４０２において、入力画像データのもつＤレンジの最大反射率を解析し取得する。次に、ステップＳ４０３において、印刷に使用する被記録媒体の特性を取得する。これは、既に前もって測定し、被記憶媒体に保存されているデータを選択する。後の処理に必要なデータとしては被記録媒体の白地の反射率である。被記録媒体の種類毎の反射率は、事前に測定したデータを装置のＲＯＭなどの記憶部に保存しておき、ステップＳ４０３で使用する被記録媒体が選択された段階で取得する。ステップＳ４０４において、照明を用いて入力画像データの撮影シーンの明るさを再現するかどうかの情報を取得する。ここでは、ユーザからの指示情報を取得する。再現する（ＹＥＳ）が選択された場合には、ステップＳ４０６において、第３の実施形態と同様の画像処理（画像処理Ａとする）を実施する。一方、再現しない（ＮＯ）が選択された場合には、ステップＳ４０５において図５（ｂ）を用いて説明した従来の画像処理（画像処理Ｂとする）を実施する。ステップＳ４０４において、再現する（ＹＥＳ）が選択された場合には、ステップＳ４０６に続くステップＳ４０７において、第３の実施形態と同様に表示部１０２に撮影シーンを再現するための照明条件を提示する。最後に、ステップＳ４０８において、ステップＳ４０５もしくはステップＳ４０６にて処理された画像データを被記録媒体に印刷し、印刷物を生成する。
【００６７】
以上のように、照明を用いて撮影シーンの明るさを再現する場合としない場合とをユーザが選択した情報を取得し、撮影シーンの明るさを再現する場合には本発明の画像処理を施し、再現しない場合には標準照明を用いた場合を想定した従来の画像処理を施す。これにより、ユーザが印刷物を展示する際の展示方法の選択が可能となる。
【００６８】
（第５の実施形態）
前述の第４の実施形態までは、撮影シーンの明るさを再現するための照明条件をユーザに提示したが、本実施形態では、算出した照明条件に基づいて自動的に照明装置を制御する制御装置を含む制御システムについて説明する。照明条件を算出する方法については、上述した実施形態と同様であるため、ここでは省略する。
【００６９】
図１６（ａ）〜（ｃ）は、本実施形態の照明装置を説明するための概念図である。図１６（ａ）において、照明装置４００の本体の所定の位置に印刷物４０１が配置されている。制御ＰＣ４０３から、最適な照明条件が照明装置４００に送られ、送られた照明条件で設定された照明光が照明４０２から印刷物４０１に照射されるように制御する仕組みである。図中の破線は、照明４０２から印刷物４０１に光が当たっているイメージを表している。本実施形態では、制御ＰＣ４０３を用いて照明条件を調整しているが、例えば、ＳＤカードなどの携帯メモリに照明条件を書き込み、それを読み取る機能を照明装置４００側に持たせても良い。
【００７０】
その他の展示照明システムとしては、図１６（ｂ）に示すように、複数台の照明装置を中央の制御ＰＣ４１０とＷｉＦｉ等の無線で繋ぎ、展示された印刷物に必要な照明条件を制御ＰＣ４１０が各照明装置に送るシステムが考えられる。また、図１６（ｃ）に示すように、印刷物そのものに照明条件を表す暗号化コード４２０（所謂、バーコードのような記号）を印刷しておく方法であってもよい。この場合には、印刷物を照明装置に取り付けると、装置に内蔵された読み取り装置が暗号化コードを読み取って自動的に最適な照明条件で光を照射する。この暗号化コードの印刷には透明インクなどを用い、印刷物中の暗号化コードが目立たないようにする印刷方法が好ましい。
【００７１】
以上のような構成により、前述の実施形態に記載の手法で算出した照明条件による照明を、自動的に設定可能な照明装置を提供することができる。
【００７２】
尚、上記実施形態において、入力画像データがＲＡＷ画像データである例について説明したが、それ以外のフォーマットの画像データでもよい。ただし、ＲＡＷ画像データはデータの階調数が高く、ダイナミックレンジの広いデータであることから入力画像データとしてより好ましい。また、入力画像データにリニアな階調処理を施す例について説明したが、厳密なリニアな階調処理ではなくとも多少の見映えを調整する程度の概略リニアな階調処理であってもよい。また、算出した撮影シーンの明るさに対して、用意できる展示照明の明るさが足りない場合には、画像処理にその差分をフィードバックし、リニアな階調処理ではなく高輝度側ほど階調カーブの勾配を寝かせた階調処理とする方法であってもよい。この方法では、撮影シーンの明るさの再現性は下がるものの、従来の限定された明るさの照明環境下での観察よりも忠実度の高い再現が期待できる。また、画像処理装置１００の入力部１０１に対して、カメラ等の撮影手段から入力画像データや撮影条件に関する情報が直接入力される例について説明したが、本発明はこの形態に限定されない。例えば、メモリーカードなどの記憶媒体から入力画像データや撮影条件に関する情報を受け付ける形態であっても構わない。
【符号の説明】
【００７３】
１００  画像処理装置
１０１  入力部
１０２  表示部
１０４  ＣＰＵ
１１１  画像出力装置
２０３  プリント輝度決定部
２０６  照明条件決定部
２０７  照明条件提示部
【図１】
2020009695.tif 000003
【図２】
2020009695.tif 000004
【図３】
2020009695.tif 000005
【図４】
2020009695.tif 000006
【図５】
2020009695.tif 000007
【図６】
2020009695.tif 000008
【図７】
2020009695.tif 000009
【図８】
2020009695.tif 000010
【図９】
2020009695.tif 000011
【図１０】
2020009695.tif 000012
【図１１】
2020009695.tif 000013
【図１２】
2020009695.tif 000014
【図１３】
2020009695.tif 000015
【図１４】
2020009695.tif 000016
【図１５】
2020009695.tif 000017
【図１６】
2020009695.tif 000018